(57)【要約】【課題】複数の種類の情報を精度高く取得できるとともに、リラクゼーション効果が得られる耳装着型装置を提供する。【解決手段】耳装着型装置（１）は、各種情報を取得する情報取得部（皮膚ガスセンサ１ｃ）および各種物理量を出力する出力部のそれぞれについて、少なくとも１つを保持する保持部（保持本体部１ａ、クリップ部１ｂ）を備える。【選択図】図２
2017038911.tif 000002
【特許請求の範囲】
【請求項１】
ユーザの耳に装着される耳装着型装置であって、
各種情報を取得する情報取得部および各種物理量を出力する出力部のそれぞれについて、少なくとも１つを保持する保持部を備え、
上記情報取得部、上記出力部および上記保持部により構成される形状が、少なくとも上記ユーザの耳介部から対珠までの領域の一部を上記ユーザの耳輪に沿って覆う形状であることを特徴とする耳装着型装置。
【請求項２】
上記保持部は、少なくとも上記ユーザの耳介部から対珠までの領域の一部を上記ユーザの耳輪に沿って覆う形状であり、
上記情報取得部および上記出力部は、上記保持部上に搭載されていることを特徴とする請求項１に記載の耳装着型装置。
【請求項３】
上記保持部は、上記ユーザの外耳道に対応して開口する開口領域が形成されていることを特徴とする請求項２に記載の耳装着型装置。
【請求項４】
上記情報取得部と、上記出力部と、上記保持部とが、互いに連接されており、
上記情報取得部、上記出力部、上記保持部が連接されてなる形状が、少なくとも上記ユーザの耳介部から対珠までの領域の一部を上記ユーザの耳輪に沿って覆う形状であることを特徴とする請求項１に記載の耳装着型装置。
【請求項５】
上記保持部は、外部装置との間で無線通信を行うための無線通信部を備えていることを特徴とする請求項１から４のいずれか１項に記載の耳装着型装置。
【請求項６】
上記保持部には、発電素子が備えられていることを特徴とする請求項１から５のいずれか１項に記載の耳装着型装置。
【請求項７】
上記出力部として、眠気予防効果、リラクゼーション効果および治療効果の少なくともいずれか１つの効果をもたらす生体刺激をユーザに対して与える刺激出力部を備えていることを特徴とする請求項１から６のいずれか１項に記載の耳装着型装置。
【請求項８】
自装置の上記ユーザの耳に対する装着位置を特定する位置特定部と、
上記位置特定部によって特定された上記装着位置に基づいて、自装置を上記ユーザが自装置を装着するのに適した基準位置に移動させるか否かを決定する位置補正決定部と、
上記出力部として、上記位置補正決定部によって自装置を上記基準位置に移動させると決定された場合に、自装置が上記基準位置に移動するように駆動する駆動部と、をさらに備えることを特徴とする請求項１から７のいずれか１項に記載の耳装着型装置。
【請求項９】
ユーザの耳に装着される耳装着型装置を充電するための充電装置であって、
上記耳装着型装置から送信される各種情報を受信する受信部と、
上記受信部によって受信された上記各種情報を記憶する記憶部と、
上記記憶部によって記憶された上記各種情報を外部通信機器に送信する送信部と、を備えることを特徴とする充電装置。
【請求項１０】
発電素子を備える上記耳装着型装置に充電可能状態であることを認識させるための第１の光と、上記充電をするための第２の光と、を放射する光源部をさらに備え、
上記光源部は、上記受信部が上記発電素子を備える上記耳装着型装置から上記充電可能状態である旨の充電可能情報を受信した場合に、上記第２の光を放射することを特徴とする請求項９に記載の充電装置。
【発明の詳細な説明】
【技術分野】
【０００１】
本発明は、耳装着型装置および該耳装着型装置を充電するための充電装置に関する。
【背景技術】
【０００２】
近年、ユーザの身体状態を測定するウェアラブル装置に関する技術が開発されている。例えば、特許文献１には、光学式センサを備えた、外耳道を含む外耳に装着される入力デバイスに関する技術が開示されている。
【先行技術文献】
【特許文献】
【０００３】
【特許文献１】国際公開２０１０／０９０１７５号公報（２０１０年８月１２日公開）
【発明の概要】
【発明が解決しようとする課題】
【０００４】
しかしながら、特許文献１に開示された技術は、光学式センサによって外耳道の形状変化を検知するものであり、耳における他の複数の部位を含む広い領域の変化を検知するものではない。また、特許文献１に開示された入力デバイスは、光学式センサという単一のセンサを備えるのに十分な大きさに設計されたものであり、センサおよびアクチュエータを複数備えることを想定して設計されたものではない。そのため、ユーザの特定の身体状態に関する情報について、耳における複数の部位の変化を検知することにより精度高く取得したり、複数の種類のセンサを配置して身体状態に関する情報を含む各種情報を取得したりすることができないという問題点があった。また、特許文献１の入力デバイスには、音出力部あるいは振動部等のアクチュエータが備わっていないことから、上記入力デバイスを装着した状態でユーザがリラックスできないという問題点もあった。
【０００５】
本発明は、上記の問題点を解決するためになされたものであり、その目的は、センサおよびアクチュエータを複数配置できる領域を有する耳装着型装置を実現することにより、特定の情報を精度高く取得するとともに、複数の種類の情報を取得することにある。また、リラクゼーション効果が得られる耳装着型装置を実現することにある。
【課題を解決するための手段】
【０００６】
上記の課題を解決するために、本発明の一態様に係る耳装着型装置は、ユーザの耳に装着される耳装着型装置であって、各種情報を取得する情報取得部および各種物理量を出力する出力部のそれぞれについて、少なくとも１つを保持する保持部を備え、上記情報取得部、上記出力部および上記保持部により構成される形状が、少なくとも上記ユーザの耳介部から対珠までの領域の一部を上記ユーザの耳輪に沿って覆う形状となっている。
【０００７】
また、本発明の一態様に係る充電装置は、ユーザの耳に装着される耳装着型装置を充電するための充電装置であって、上記耳装着型装置から送信される各種情報を受信する受信部と、上記受信部によって受信された上記各種情報を記憶する記憶部と、上記記憶部によって記憶された上記各種情報を外部通信機器に送信する送信部と、を備える。
【発明の効果】
【０００８】
本発明の一態様によれば、特定の情報を精度高く取得できるとともに、複数の種類の情報を取得できる耳装着型装置を提供することができる。また、リラクゼーション効果が得られる耳装着型装置を提供することができる。
【図面の簡単な説明】
【０００９】
【図１】本発明の実施形態１に係る耳装着型装置における、ユーザの耳と対向する領域の反対側の領域を表す概略図である。
【図２】上記耳装着型装置におけるユーザの耳と対向する領域を表す概略図である。
【図３】ユーザが上記耳装着型装置を装着した状態を示す外観図である。
【図４】ユーザの耳の基本構造を示す模式図である。
【図５】皮膚ガスの検知に適した、ユーザの耳周辺の部位を示す模式図である。
【図６】生け花の流線形を示す模式図である。
【図７】上記耳装着型装置が備える保持本体部の形状の変形例を示す概略図である。
【図８】生け花の流線形を模した上記保持本体部の形状を示す概略図である。
【図９】本発明の実施形態１に係る充電装置の外観図である。
【図１０】上記充電装置の主要部を示す概略図である。
【図１１】上記耳装着型装置と上記充電装置とスマートフォンとの間で各種情報の送受信を行っている様子を模式的に示した図である。
【図１２】上記耳装着型装置および上記充電装置における各種情報の処理方法を示すフローチャートである。
【図１３】本発明の実施形態２に係る耳装着型装置の主要部を示す概略図である。
【図１４】（ａ）は、上記耳装着型装置が備えるメモリへの画像特徴データの記憶方法を示すフローチャートである。（ｂ）は、装着後に上記耳装着型装置が行う、位置補正の方法を示すフローチャートである。
【図１５】（ａ）は、本発明の実施形態４に係る耳装着型装置の保持本体部およびクリップ部の一例を示す概略図である。（ｂ）は、上記保持本体部等によって保持されるセンサ等の機能を実現する、機能ブロックの一例を示す模式図である。（ｃ）は、上記センサ等を保持した状態の上記耳装着型装置の一例を示す概略図である。
【図１６】（ａ）は、本発明の実施形態５に係る耳装着型装置の保持本体部およびクリップ部の他の例を示す概略図である。（ｂ）は、上記耳装着型装置に備えられるセンサ等の機能を実現する、機能ブロックの一例を示す模式図である。（ｃ）は、上記センサ等を電気的に接続した状態の上記耳装着型装置の一例を示す概略図である。（ｄ）は、上記耳装着型装置の保持本体部によって覆われる、ユーザの耳の部位を示す模式図である。
【図１７】（ａ）は、本発明の実施形態１に係る耳装着型装置の変形例を示す概略図である。（ｂ）は、本発明の実施形態２に係る耳装着型装置の変形例を示す概略図である。
【発明を実施するための形態】
【００１０】
以下、本発明の実施形態について、詳細に説明する。なお、以下の特定の項目（実施形態）における構成について、それが他の項目で説明されている構成と同じ場合、その説明を省略する場合がある。また、説明の便宜上、各項目に示した部材と同一の機能を有する部材については、同一の符号を付し、適宜その説明を省略する。
【００１１】
〔実施形態１〕
本発明に係る一実施形態について、図１〜図１２に基づいて説明すれば、以下のとおりである。
【００１２】
＜耳装着型装置１の概要＞
図１は、本発明の一実施形態に係る耳装着型装置１における、ユーザ１００の耳１１０と対向する領域の反対側の領域を表す概略図である。図２は、耳装着型装置１における、ユーザ１００の耳１１０と対向する領域を表す概略図である。図３は、ユーザ１００が耳装着型装置１を装着した状態を示す外観図である。図４は、ユーザ１００の耳１１０の基本構造を示す模式図である。
【００１３】
（耳装着型装置１の構成）
図１および図２に示すように、耳装着型装置１は、保持本体部１ａ（保持部）、クリップ部１ｂ（保持部）、皮膚ガスセンサ１ｃ（情報取得部）、小型バッテリー１ｄおよび身体状態情報通信部１ｅを備えている。耳装着型装置１は、図３に示すように、クリップ部１ｂをユーザ１００の左側の耳１１０に引っ掛けることでユーザ１００に装着される。そして、ユーザ１００の脈波、咀嚼、血圧、皮膚色および歩行等の身体運動を示す各種の身体状態情報（各種情報）を情報取得部（皮膚ガスセンサ１ｃ以外図示せず）により取得し、後述する充電装置１０（外部装置）に身体状態情報通信部１ｅより送信する。
【００１４】
なお、耳装着型装置１は、クリップ部１ｂをユーザ１００の右側の耳１１０に引っ掛けるような構造であってもよい。または、耳装着型装置１を一対作製して、ユーザ１００の両側の耳１１０に装着されるようにしてもよい。また、耳装着型装置１による取得対象となる身体状態情報としては、上記の他に、ユーザ１００の血中酸素、体温および傾き等の身体状態を示す情報が含まれてもよい。また、耳装着型装置１は、身体状態情報以外の情報を取得してもよい。例えば、ユーザ１００の部屋における室温、湿度あるいは明るさ、ユーザの周囲に存在する電磁波、第三者の身体状態情報、地震情報、火災情報等の情報を取得してもよい。換言すれば、耳装着型装置１の情報取得部が取得する「各種情報」とは、耳装着型装置１の置かれた環境に関わる情報（例えば、上述の身体状態情報、室温、湿度、明るさ、電磁波等々を示す情報）を意味している。さらに、身体状態情報の送信先である外部装置としては、充電装置１０の他、例えば、スマートフォンおよびタブレット端末等の携帯端末、パーソナルコンピュータ等であってもよい。
【００１５】
また、身体状態情報通信部１ｅについては、その機能を実現するブロックを図１において示している。当該ブロックは、あくまで耳装着型装置１が身体状態情報通信部１ｅを備えているという点を明確にするために図示しており、身体状態情報通信部１ｅに係る形状や搭載（配置）位置等の物理的構成を示すものではない。すなわち、身体状態情報通信部１ｅは、前述の機能を実行するＩＣチップ等を、保持本体部１ａやクリップ部１ｂの任意の位置に搭載することにより実現される。
【００１６】
保持本体部１ａは、皮膚ガスセンサ１ｃ以外の各種センサ（情報取得部）、光発電パネル（発電素子）およびＬＥＤ光源（身体状態情報通信部１ｅ）を保持する。また、保持本体部１ａの形状は薄板状であり、その厚さ方向と略平行な方向から保持本体部１ａを見た場合、その形状は略Ｏ字型になっている。そして、ユーザ１００の耳珠周辺の部位に対向する保持本体部１ａの領域の面積が、他の領域の面積に比して小さくなっている（図３および図４参照）。
【００１７】
保持本体部１ａにおける、ユーザ１００の耳１１０と対向する領域（以下、「裏側の領域」と記載する）の反対側の領域（以下、「表側の領域」と記載する）には、光発電パネルおよびＬＥＤ光源が搭載される（ともに図示せず）。また、保持本体部１ａの裏側の領域には、例えば、脈波センサ、咀嚼センサ、血圧センサ、皮膚色センサ、皮膚センサおよび加速度センサ（全て情報取得部）が搭載される（全て図示せず）。
【００１８】
光発電パネルは、後述する充電装置１０から可視光を照射されることによって光発電する。そして、光発電で得られた電力をクリップ部１ｂに備えられた小型バッテリー１ｄ（図２参照）に供給することで、小型バッテリー１ｄが充電される。光発電パネルは、薄型および軽量であり、その耐用年数も従来型のバッテリーに比して長いことから、耳装着型装置１のさらなる小型化および軽量化を図ることができる。また、ユーザ１００は耳装着型装置１を頻繁に充電する必要がなく、長時間安定した状態で耳装着型装置１を使用することができる。さらに、光発電パネルは、保持本体部１ａにおける表側の領域、すなわち、ユーザ１００の耳１１０と対向する領域の反対側の領域に搭載されていることから、裏側の領域の搭載される場合に比して光を受光し易くなっている。それゆえ、短時間で効率よく充電できる耳装着型装置１を提供することができる。
【００１９】
なお、小型バッテリー１ｄは、必ずしも光発電パネルによって充電される必要はなく、例えば、光発電パネルに代えて太陽光発電パネルを搭載して、太陽光によって充電されてもよい。また、光発電パネルに代えて、例えば、振動発電あるいは熱発電を行う発電素子を用いて小型バッテリー１ｄを充電してもよい。さらに、光発電パネル等の発電素子は、例えば、保持本体部１ａの裏側の領域に搭載されてもよい。換言すれば、保持部（保持本体部１ａおよびクリップ部１ｂ）のいずれかの領域に発電素子が備えられていればよい。
【００２０】
身体状態情報通信部１ｅは、充電装置（外部装置）１０との間で光無線通信を行うための光源として、ＬＥＤ光源（無線通信部、図示せず）を備えている。ＬＥＤ光源は、充電装置１０に向けて赤外光を放射する光無線通信により、充電装置１０に各種の身体状態情報を送信する。また、耳装着型装置１が充電可能状態であることを示す充電可能情報および耳装着型装置１の充電が完了したことを示す充電完了情報も、充電装置１０に送信する。充電可能状態の詳細については後述する。なお、身体状態情報通信部１ｅは、充電装置１０およびその他の外部装置から各種情報を受信してもよい。
【００２１】
一般に、光無線通信は、電波による無線通信に比して消費電力が少ないため、省エネルギーかつ低コストである。また、光無線通信は、電波による無線通信に比して、一度の多くの情報を送信することができるとともに通信速度も速い。その点、耳装着型装置１は、充電装置１０との間で光無線通信を行うため、省エネルギーかつ低コストな耳装着型装置１を実現することができる。また、耳装着型装置１は、一度に多数の身体状態情報を高速で充電装置１０に送信することができる。さらには、光無線通信に、他の波長域の光に比して指向性が強く情報の秘匿性の高い、なおかつ人体に安全な赤外光を用いていることから、ユーザ１００のプライバシーおよび健康に配慮した耳装着型装置１を実現することができる。
【００２２】
また、各種センサが検知した身体状態情報は、最終的に充電装置１０に送信されることから、刻々と検知される身体状態情報の全てを耳装着型装置１の方で記憶しておく必要がない。そのため、耳装着型装置１に備えられるメモリ（図示せず）の容量が小さくて済むことから、安価なメモリを使用することができ、低コスト化を実現することができる。
【００２３】
なお、光無線通信を行う光源としては、ＬＥＤ光源以外に、例えばレーザー光源を用いてもよい。また、身体状態情報通信部１ｅ（無線通信部）による通信方法として、光無線通信以外に、例えば、Bluetooth（登録商標）、または電波を用いた無線通信等を採用してもよい。
【００２４】
脈波センサは、例えば光を照射することで、ユーザ１００の脈波を検知するものである。咀嚼センサは、ひずみセンサまたは光センサで構成され、耳１１０の皮膚の動きを該ひずみセンサまたは該光センサで検知することでユーザ１００の咀嚼を検知する。なお、ひずみセンサまたは光センサを備えた耳装着型装置１には、スイッチ機能を持たせることも可能である。例えば、ひずみセンサまたは光センサによって耳１１０の皮膚の動きを検知した場合、その検知結果を耳装着型装置１に備えられた作動制御部（音楽プレーヤーやスマートフォン等の情報処理端末の作動を制御する部材；図示せず）に送信する。そして、検知結果を受信した作動制御部が、情報処理端末を作動させるための作動指令を該情報処理端末に送信することにより、情報処理端末のスイッチがＯＮとなって該情報処理端末を作動させることができる。この時、情報処理端末が例えば携帯型音楽プレーヤーだとすれば、当該プレーヤーにて再生される音を、耳装着型装置１におけるスピーカから聞き取ることも可能となる。また、後述するように耳装着型装置１は複数のセンサを備えることが可能であることから、複数のひずみセンサ、または複数の光センサをそれぞれ耳１１０の異なる部位に配置することで、あるいは複数のひずみセンサと複数の光センサとを併用して、それぞれ耳１１０の異なる部位に配置することで、耳１１０の皮膚の動きを精度高く検知することができる。作動制御部は、耳装着型装置１が備えている必要はなく、例えば特定のサーバが作動制御部を備えていてもよい。血圧センサは、例えば光を照射することで、ユーザ１００の血圧を検知するものである。皮膚色センサは、ユーザ１００の皮膚の色の変化を検知するものであり、例えば、超小型カメラ等を用いることができる。皮膚センサは、ユーザ１００の皮膚状態を検知し、イオン選択性電界効果トランジスタを用いたペーハーセンサで構成される。加速度センサは、ユーザ１００の身体運動を検知するものである。
【００２５】
なお、上記各種センサは、保持本体部１ａの裏側の領域内であれば任意に搭載してもよい。但し、一般に、ヒトの脈波および咀嚼を検知するのに適した耳の部位は耳珠周辺であることから、脈波センサおよび咀嚼センサについては、図４に示すようなユーザ１００の耳珠周辺に対向するように搭載されることが好ましい。また、保持本体部１ａ上に搭載されるセンサは、上記のものに限定されない。例えば、赤外光を照射することでユーザ１００の血中酸素量を検知する血中酸素センサ、熱電対または光センサによりユーザ１００の体温を検知する体温センサ、ユーザ１００の傾きを検知する各速度センサ等を保持本体部１ａ裏側の領域に搭載してもよい。
【００２６】
皮膚ガスセンサ１ｃは、ユーザ１００の皮膚から放出される皮膚ガスを検知するものであり、クリップ部１ｂにおける裏側の領域かつ先端部付近に搭載される（図２参照）。一般に、耳の裏側周辺の領域は通気性が悪く、皮膚ガスが溜まりやすい。そのため、皮膚ガスセンサ１ｃを、図５に示すような耳１１０の裏側周辺の領域内に位置させるために、上記のような皮膚ガスセンサ１ｃのクリップ部１ｂにおける配置とした。小型バッテリー１ｄは、耳装着型装置１を構成する各部に電力の供給を行うものであり、クリップ部１ｂにおける裏側の領域に搭載される（図２参照）。なお、小型バッテリー１ｄは、クリップ部１ｂにおける表側の領域に搭載してもよい。
【００２７】
（耳装着型装置１の外観）
上述のように、耳装着型装置１は、略Ｏ字型の保持本体部１ａとクリップ部１ｂとで、その外観が構成されている。このような外観は、複数の種類の身体状態情報を精度高く測定する上で効果的であるのと同時に、ユーザ１００および耳装着型装置１を見た者が心地良く感じるものとなっている。
【００２８】
すなわち、耳装着型装置１の外観は、図６に示すように、生け花の流線形を模したものとなっている。具体的には、保持本体部１ａの領域Ａ１が生け花の「体」に対応し、領域Ａ２が「真」に対応し、領域Ａ３が「副」に対応する（図１参照）。一般に、生け花の流線形は、見る者に自然の持つ穏やかな美しさを感じさせることからリラクゼーションの効果がある。そのため、耳装着型装置１は、単に機能的に優れたものであるだけでなく、その外観において、ユーザ１００の心理面にも良い影響を与える視覚的効果があるものとなっている。
【００２９】
なお、耳装着型装置１の外観は、生け花の流線形を模したものである必要はない。換言すれば、保持本体部１ａおよびクリップ部１ｂを含む保持部の形状が、少なくともユーザ１００の耳介部から対珠までの領域の一部をユーザ１００の耳輪に沿って覆っていればよい。
【００３０】
（保持本体部１ａの形状）
上述のように、保持本体部１ａは、その厚さ方向と略平行な方向から保持本体部１ａを見た場合の形状が略Ｏ字型になっている。換言すれば、保持本体部１ａは、少なくともユーザ１００の耳介部から対珠までの領域の一部をユーザ１００の耳輪に沿って覆うとともに、ユーザ１００の外耳道に対応して開口する開口領域が形成された形状となっている。
【００３１】
保持本体部１ａの形状を上記のようにすることで、ユーザ１００の耳１１０について、外耳道の開口部周辺以外のほぼ全ての領域を保持本体部１ａによって覆うことができる。したがって、保持本体部１ａの形状は、複数の種類のセンサを搭載したり、特定の情報を取得するセンサを複数の箇所に搭載したりするのに適したものとなっている。そのため、耳装着型装置１は、複数の種類の情報および高精度の情報を測定することができる。
【００３２】
また、保持本体部１ａの形状を上記のようにすることで、保持本体部１ａはユーザ１００の耳珠まで覆うことができる。一般に、ヒトの脈波および咀嚼を検知する部位として耳珠周辺の領域が適している。そのため、保持本体部１ａにおけるユーザ１００の耳珠周辺の領域と対向する領域に脈波センサおよび咀嚼センサを搭載することで、精度高くユーザの脈波および咀嚼を検知することができる。
【００３３】
また、保持本体部１ａはユーザ１００の外耳道に対応して開口する開口領域が形成されていることから、耳装着型装置１の装着は、ユーザ１００が周囲の音を聞き取る上で妨げとはならない。そのため、例えば、耳装着型装置１を装着した状態で、さらにヘッドフォンあるいはイヤホンなどの音出力機器等を装着して音楽鑑賞等を楽しむことができる。また、ユーザ１００は、耳装着型装置１を装着していないときと同様の状態で周囲の音が聞こえるので、装着時の違和感を低減できるとともに、装着時におけるユーザ１００の安全性を確保することができる。
【００３４】
また、上述のように、ユーザ１００の耳珠周辺の部位に対向する保持本体部１ａの領域の面積が、他の領域の面積に比して小さくなっている。保持本体部１ａの形状をこのようにすることで、耳装着型装置１を装着した状態でさらに音出力機器等の外部機器を装着した場合に、該外部機器のケーブルが保持本体部１ａに引っ掛かって浮き上がる程度を低減することができる。そのため、耳装着型装置１を装着した状態でも違和感なく外部機器を装着することができる。
【００３５】
なお、保持本体部１ａの形状はＯ字型に限定されない。例えば、図７に示すように、保持本体部１ａの厚さ方向と略平行な方向から該保持本体部１ａを見た場合に、その形状が略円弧型になるように成形してもよい。保持本体部１ａの形状を略円弧型とすることにより、略Ｏ字型形状の場合に比して少ない量の材料で保持本体部１ａを作製することができ、耳装着型装置１の軽量化および低コスト化を実現することができる。耳装着型装置１の軽量化・小型化の観点からは、例えば図１７の（ａ）に示すように、保持本体部１ａが、耳１１０における耳輪の一部のみを挟み込むような形状・大きさであってもよく、この場合、保持本体部１ａに体温センサ（熱電対または光センサを用いる）または脈波センサ（ＬＥＤ等によって光を放射する）を保持本体部１ａの裏側に（表側であってもよい；図示せず）保持させることにより、ユーザ１００の体温または脈波を検知することができる。また、保持本体部１ａの形状を、例えば、ユーザ１００の対珠から耳垂を経て耳珠までの領域が開放されるような形状にすれば、外部機器をさらに装着した場合でも、そのケーブルが保持本体部１ａに引っ掛かることがない。そのため、ユーザ１００は、耳装着型装置１を装着した状態で、さらに外部機器を違和感なく装着することができる。
【００３６】
ここで、耳装着型装置１に略円弧型の保持本体部１ａを採用するのであれば、例えば、図８に示すような形状の保持本体部１ａを採用することが好ましい。図８に示す保持本体部１ａは、耳輪に対応する領域から流線形状の突起部が突出していることもあり、全体として図７に示す保持本体部１ａより生け花の流線形に近い形状となっている。このような形状の保持本体部１ａを採用することで、ユーザ１００は、該保持本体部１ａにおける領域Ｂ１が生け花の「体」に対応し、領域Ｂ２が「真」に対応し、上記突起部に対応する領域Ｂ３が「副」に対応することをより強く認識できる。それゆえ、ユーザ１００は、図８に示す保持本体部１ａを見ることにより、生け花の流線形をより一層イメージできることから、リラクゼーション効果をより得ることができる。
【００３７】
また、例えば、保持本体部１ａの厚さ方向と略平行な方向から該保持本体部１ａを見た場合に、保持本体部１ａの形状が略円盤型になるように成形してもよい。すなわち、ユーザ１００の外耳道に対応して開口する開口領域が存在しない形状であってもよい。保持本体部１ａの形状を略円盤型とすることにより、センサおよび光発電パネルを搭載できる領域は最大化する。そのため、省エネルギー、多種類かつ高精度の情報の取得に最適な耳装着型装置１を実現することができる。なお、この場合、例えば、保持本体部１ａにおけるユーザ１００の外耳道に対応する領域付近にイヤホン型の音出力部を設けることにより、耳装着型装置１に音出力装置としての機能を持たせることもできる。
【００３８】
以上のように、保持本体部１ａの形状には、いくつかのバリエーションを持たせることができる。換言すれば、各種センサ（情報取得部）および保持本体部１ａ（保持部）により構成される形状が、少なくともユーザ１００の耳介部から対珠までの領域の一部をユーザ１００の耳輪に沿って覆う形状になっていればよい。さらに付言すれば、保持本体部１ａは、少なくともユーザ１００の耳介部から対珠までの領域の一部をユーザ１００の耳輪に沿って覆う形状であればよい。
【００３９】
＜充電装置１０の概要＞
図９は、充電装置１０の外観図である。図１０は、充電装置１０の主要部を示す概略図である。
【００４０】
（充電装置１０の構成）
図９に示すように、充電装置１０は壺型であり、ケース部１０ａと蓋部１０ｂとで構成される。但し、充電装置１０は壺型である必要は必ずしもなく、例えば、ケース部１０ａのみの構成であってもよい（ケース部１０ａの外形についても、ユーザ１００の好みに応じて任意に設計変更してよい）。充電装置１０は、ケース部１０ａ内に収納された耳装着型装置１に後述する第２可視光を照射することで、該耳装着型装置１を充電する。図１０に示すように、ケース部１０ａ内には、第１ＬＥＤ光源１０ｃ（光源部）、第２ＬＥＤ光源１０ｄ（光源部）、受信部１０ｅ、送信部１０ｆ、基板１０ｇおよび装置支持部１０ｈが収容配置されている。なお、基板１０ｇにおけるケース部１０ａの底面と対向する面（以下、「下面」と記載する）上には、記憶部（図示せず）および光源制御部（光源部、図示せず）が実装されている。また、基板１０ｇとケース部１０ａの底面との間の領域には、バッテリー（図示せず）が配置されている。なお、バッテリーは、ケース部１０ａの外部に配置され、該ケース部１０ａとコンセント等で接続されていてもよい。以下、説明の便宜のため、蓋部１０ｂからケース部１０ａの底面に向かう方向を下方向、その反対方向を上方向とする。
【００４１】
第１ＬＥＤ光源１０ｃは、第２ＬＥＤ光源１０ｄに比して弱い放射強度の第１可視光（第１の光）を耳装着型装置１に対して放射する。耳装着型装置１は、第１可視光を受光することで、自装置が後述する装置支持部１０ｈ上で支持されている状態、すなわち充電可能状態であることを認識する。第２ＬＥＤ光源１０ｄは、第１ＬＥＤ光源１０ｃに比して強い放射強度の第２可視光（第２の光）を耳装着型装置１に対して放射する。耳装着型装置１は、第２可視光を受光することで光発電パネルが発電し、充電される。このような構成を採用することにより、充電装置１０は、耳装着型装置１への第１可視光の照射による充電可能情報の受信を契機として、第２可視光を照射することによって耳装着型装置１を充電することができる。また、例えば、第１の光を「蛍の光」に対応させ、第２の光を「全力発光」に対応させれば、充電時においてユーザ１００に与える視覚的効果に優れた充電装置１０を提供することができる。また、第１の光および第２の光の組み合わせについて、「蛍の光」および「全力発光」の組み合わせだけでなく、発光強度、波長、点灯周期等を適宜設定すれば、ユーザ１００の嗜好に適合させることができる。
【００４２】
また、図１０に示すように、第１ＬＥＤ光源１０ｃについては、３基でワンセットとして基板１０ｇの略四隅に計１２基配置されている。第２ＬＥＤ光源１０ｄについては、基板１０ｇにおける第１ＬＥＤ光源１０ｃのセットとセットとの間に、基板１０ｇの側面に略沿って計４基配置されている。なお、各光源の基数および基板１０ｇ上における配置については、上記場合に限定されない。例えば、基板１０ｇ上に第１ＬＥＤ光源１０ｃのみ複数基配置し（第２ＬＥＤ光源１０ｄのみの配置でもよい）、第１ＬＥＤ光源１０ｃが第１可視光および第２可視光の両方を放射するようにしてもよい。また、ＬＥＤ光源に代えて、例えば、レーザー光源を光源部の光源として採用してもよい。換言すれば、耳装着型装置１が充電可能状態であることを認識し、かつ、光発電パネルによって充電されるような光源の基数、配置および種類であればよい。
【００４３】
受信部１０ｅは、耳装着型装置１から送信された身体状態情報を受信する。記憶部は、受信部１０ｅが受信した身体状態情報および各種の制御プログラム等を記憶する。記憶部は、例えばハードディスク、フラッシュメモリなどの不揮発性の記憶装置によって構成される。送信部１０ｆは、記憶部が記憶している身体状態情報をスマートフォン（外部通信機器）５０に送信する。送信方法としては、Bluetooth（登録商標）等の近距離無線通信
を採用する。なお、身体状態情報の送信先である外部通信機器として、タブレット端末、パーソナルコンピュータ等を用いる場合には、WiFi（登録商標、wireless fidelity）通
信、赤外線通信および音波等の既存の無線通信を採用してもよい。また、受信部１０ｅ、記憶部および送信部１０ｆは、身体状態情報以外でも、耳装着型装置１から送信された各種情報であればそれぞれの機能を発揮する。
【００４４】
第１ＬＥＤ光源（光源部）１０ｃ、第２ＬＥＤ光源（光源部）１０ｄ、受信部１０ｅおよび送信部１０ｆは、基板１０ｇの上面上に実装される。なお、記憶部、光源制御部およびバッテリーの配置は上記場合に限定されず、例えば、記憶部、光源制御部およびバッテリーの少なくともいずれかが、基板１０ｇの上面上に実装されてもよい。
【００４５】
装置支持部１０ｈは、その上側の面上に耳装着型装置１を置くことによって、該耳装着型装置１を支持する。装置支持部１０ｈは、耳装着型装置１が第１ＬＥＤ光源１０ｃおよび第２ＬＥＤ光源１０ｄから放射される各可視光を受光できるように、綿製になっている。また、装置支持部１０ｈは、ケース部１０ａの内部を覆うように、第１ＬＥＤ光源１０ｃおよび第２ＬＥＤ光源１０ｄの上方に配置される。なお、装置支持部１０ｈは綿製に限定されず、透光性を有し、かつ、耳装着型装置１の重力に耐え得る程度の強度を有する材料で作製されたものであればよい。また、装置支持部１０ｈとして、例えば、ジルコニアまたはクリスタル等を第１ＬＥＤ光源１０ｃおよび第２ＬＥＤ光源１０ｄの上方に敷き詰めてもよい。
【００４６】
光源制御部は、第１ＬＥＤ光源１０ｃおよび第２ＬＥＤ光源１０ｄの点灯を制御する。具体的には、ケース部１０ａ内に耳装着型装置１が収納されていない状態、およびケース部１０ａ内に耳装着型装置１が収納されてから受信部１０ｅが充電可能情報を受信するまでの間は、光源制御部は、第１ＬＥＤ光源１０ｃが第１可視光を比較的小さな周波数で点滅するように制御する。例えば、第１ＬＥＤ光源１０ｃは、「蛍が放つ光」のように、ゆっくりと弱く光が点いたり消えたりする。一方、第２ＬＥＤ光源１０ｄは、光源制御部によって消灯状態となるように制御されている。
【００４７】
次に、受信部１０ｅが充電可能情報を受信した場合、光源制御部は、第１ＬＥＤ光源１０ｃを消灯し、代わりに第２ＬＥＤ光源１０ｄが第２可視光を連続して放射するようにその点灯を制御する。そして、耳装着型装置１の充電が完了し、受信部１０ｅが充電完了情報を受信した場合、光源制御部は、第２ＬＥＤ光源１０ｄを消灯して、第１ＬＥＤ光源１０ｃが再び第１可視光による点滅を行うようにする。
【００４８】
なお、光源制御部による第１ＬＥＤ光源１０ｃの点灯制御は、上記の場合に限定されない。例えば、本実施形態のように第１可視光が点滅するのではなく、連続点灯してもよい。また、例えば、ケース部１０ａの開口部が蓋部１０ｂによって塞がれている間は全ての光源を消灯状態にしておく。そして、ユーザ１００が蓋部１０ｂを取り外した場合に、ケース部１０ａにおける蓋部１０ｂとの接触部上に設けられた圧力センサが、蓋部１０ｂの取り外しを検知し、その検知情報に基づいて第１ＬＥＤ光源１０ｃを点滅させてもよい。そして、ユーザ１００が上記開口部上に蓋部１０ｂを置いた場合、再び全ての光源を消灯状態にしてもよい。
【００４９】
さらに、例えば、上記圧力センサを装置支持部１０ｈにおける上側の面上に設け、前記面上に耳装着型装置１が置かれた場合に第１ＬＥＤ光源１０ｃの点滅を開始させてもよい。なお、耳装着型装置１が装置支持部１０ｈにおける上側の面上に置かれるまでは、全ての光源を消灯状態にしておく。そして、ユーザ１００が耳装着型装置１を把持する等によって、耳装着型装置１と装置支持部１０ｈとが離間した場合、再び全ての光源を消灯状態にしてもよい。このように、第１ＬＥＤ光源１０ｃについても消灯状態の期間を設けることで、充電装置１０の消費電力をより抑制することができる。
【００５０】
（充電装置１０の外観）
なお、本実施形態のように、充電装置１０の外形を壺型とし、第１ＬＥＤ光源１０ｃから放射される第１可視光を「蛍が放つ光」のように点滅させることで、充電装置１０の外観は、ユーザ１００の心理面にも良い影響を与える視覚的効果があるものとなっている。すなわち、充電装置１０を見たユーザ１００は、その骨董品のような外形と柔らかで優しい光とによって癒されるだけでなく、心地良さを感じることができ、リラクゼーション効果を得ることができる。この効果は、例えば、充電装置１０の表面に模様を付することにより、第１可視光の屈折、反射と相まって一層高まる。
【００５１】
＜耳装着型装置１と充電装置１０とスマートフォン５０との間における各種情報の送受信＞
図１１は、耳装着型装置１と充電装置１０とスマートフォン５０との間で各種情報の送受信を行っている様子を模式的に示した図である。図１１に示すように、充電装置１０の装置支持部１０ｈによって支持された耳装着型装置１は、光発電パネルで第１可視光を受光すると、ＬＥＤ光源から赤外光を放射することによって充電可能情報を充電装置１０に送信（光無線通信）する。また、光発電パネルで第２可視光を受光すると、耳装着型装置１は、充電を開始するとともに、ＬＥＤ光源から赤外光を放射することによってメモリに記憶しておいた身体状態情報を充電装置１０に送信（光無線通信）する。すなわち、光発電パネルは、発電素子としての機能を有するとともに、耳装着型装置１と充電装置１０との間で行われる光無線通信における、受信部（光無線通信受光部）としての機能も有する。このように、自装置の充電と充電装置１０への身体状態情報の送信とを並行して行うことにより、耳装着型装置１のバッテリー容量を小さくすることができ、小型バッテリー１ｄの耳装着型装置１への搭載が実現される。
【００５２】
次に、充電装置１０は、記憶部に記憶しておいた身体状態情報を、スマートフォン５０のユーザ操作によって該スマートフォン５０に送信する。なお、スマートフォン５０は、受信した身体状態情報に基づいて、統計値または平均値の算出等各種のデータ処理を行う。そして、前記データ処理後の身体状態に関する２次情報をスマートフォン５０のメモリに記憶させる。
【００５３】
なお、身体状態情報は、耳装着型装置１から直接スマートフォン５０に送信されてもよい。また、上記２次情報は、充電装置１０に送信されて記憶部に記憶された後、充電装置１０から耳装着型装置１に送信されてもよいし、スマートフォン５０から直接耳装着型装置１に送信されてもよい。さらに、耳装着型装置１および充電装置１０をスマートフォン５０によって操作可能とし、該スマートフォン５０のユーザ操作によって、身体状態情報の送受信、または耳装着型装置１および充電装置１０の各種機能の設定変更等を行ってもよい。
【００５４】
＜耳装着型装置１および充電装置１０における各種情報の処理方法＞
次に、図１２を用いて、耳装着型装置１および充電装置１０における各種情報の処理方法について説明する。図１２は、上記処理方法を示すフローチャートである。図１２に示すように、まず、耳装着型装置１に備えられた皮膚ガスセンサ１ｃその他の各種センサは、ユーザ１００の複数の身体状態を検知し、身体状態情報としてメモリに送信する（ステップ１００、以下、「Ｓ１００」と略記する；身体状態検知工程）。
【００５５】
次に、充電のために、充電装置１０の装置支持部１０ｈに耳装着型装置１を支持させた後、耳装着型装置１は光発電パネルによって第１可視光の受光を検知する（Ｓ１０１；第１可視光検知工程）。そして、耳装着型装置１は、自装置が充電可能状態であることを認識するとともに、ＬＥＤ光源から赤外光を放射することで充電可能情報を充電装置１０の受信部１０ｅに送信する（Ｓ１０２；充電可能情報送信工程）。
【００５６】
次に、受信部１０ｅが受信した充電可能情報は、光源制御部に送信される。そして、光源制御部は、充電可能情報を受信することにより、点滅していた第１ＬＥＤ光源１０ｃを消灯するとともに、第２ＬＥＤ光源１０ｄが第２可視光による連続点灯を行うよう第２ＬＥＤ光源１０ｄの点灯を制御する（Ｓ１０３；第２可視光点灯工程）。そして、光発電パネルが第２可視光を受光することにより、耳装着型装置１の充電が開始する。また、光発電パネルが第２可視光を受光することにより、耳装着型装置１は、メモリに記憶していた身体状態情報を充電装置１０の受信部１０ｅに送信する（Ｓ１０４；充電／身体状態情報送信工程）。受信部１０ｅが受信した身体状態情報は記憶部に送信され、該記憶部に記憶される（Ｓ１０５；記憶工程）。
【００５７】
次に、耳装着型装置１の充電が完了した場合（Ｓ１０６（充電終了判定工程）でＹ）、耳装着型装置１は、ＬＥＤ光源から赤外光を放射することで充電完了情報を充電装置１０の受信部１０ｅに送信する（Ｓ１０７；充電完了情報送信工程）。一方、耳装着型装置１の充電が完了していない場合（Ｓ１０６でＮ）、耳装着型装置１は、自装置の充電が完了したか否かを再び判定する。
【００５８】
次に、受信部１０ｅが受信した充電完了情報は、光源制御部に送信される。そして、光源制御部は、充電完了情報を受信することにより、連続点灯していた第２ＬＥＤ光源１０ｄを消灯するとともに、第１ＬＥＤ光源１０ｃが再び第１可視光による点滅を行うよう第１ＬＥＤ光源１０ｃの点滅を制御する（Ｓ１０８；点滅状態復帰工程）。
【００５９】
＜効果＞
以上のように、本実施形態によれば、保持部（保持本体部１ａおよびクリップ部１ｂ）は、少なくともユーザ１００の耳介部から対珠までの領域の一部をユーザ１００の耳輪に沿って覆う形状となっている。したがって、例えば、ユーザ１００の外耳道の開口部周辺を覆う形状に比して、保持部におけるユーザ１００の耳１１０と対向する領域の面積が広い。そのため、例えば、上記領域に複数の種類のセンサを搭載することにより、これらのセンサの数に対応した複数の種類の情報を取得することができる。また、例えば、上記領域の複数箇所に同一種類のセンサを搭載することにより、特定の情報を精度高く取得することができる。そのため、耳装着型装置１は、複数の種類の情報を精度高く充電装置１０に送信することができる。
【００６０】
また、本実施形態によれば、充電装置１０は、耳装着型装置１を充電しつつ、該装置から送信された身体状態情報を一旦記憶部に記憶した上でスマートフォン５０に送信することができる。そのため、耳装着型装置１に容量の小さいバッテリーを用いることができことから、耳装着型装置１の小型化、軽量化および低コスト化に資する。さらに、身体状態情報は記憶部に記憶しておくことができることから、その分耳装着型装置１のメモリ容量を小さくでき、このことによっても耳装着型装置１の低コスト化に資する。
【００６１】
〔実施形態２〕
本発明の他の実施形態について、図１３および図１４に基づいて説明すれば、以下のとおりである。図１３は、本発明の一実施形態に係る耳装着型装置２の主要部を示す概略図である。図１４の（ａ）は、耳装着型装置２が備えるメモリへの画像特徴データＡの記憶方法を示すフローチャートである。図１４の（ｂ）は、装着後に耳装着型装置２が行う、位置補正の方法を示すフローチャートである。
【００６２】
＜耳装着型装置２の概要＞
図１３に示すように、本実施形態に係る耳装着型装置２は、小型カメラ２ａ（位置特定部）、画像特徴抽出部２ｂ（位置特定部）、位置補正決定部２ｃ、基準位置判定部２ｄおよび振動部２００（刺激出力部、駆動部）をさらに備えている点で、実施形態１に係る耳装着型装置１と異なる。なお、図面の理解を容易にするため、小型カメラ２ａ、画像特徴抽出部２ｂ、位置補正決定部２ｃおよび基準位置判定部２ｄについては、これらの機能を実現するブロックを模式的に図１３に示している。すなわち、図１３における「小型カメラ２ａ」、「画像特徴抽出部２ｂ」、「位置補正決定部２ｃ」、「基準位置判定部２ｄ」に係る４つのブロックは、これら４つの構成要素に係る物理的構成および配置を図示しているものではない。
【００６３】
小型カメラ２ａは、耳装着型装置２の装着位置に対応する耳１１０の皮膚を撮影するものであり、保持本体部１ａにおけるユーザ１００の耳１１０と対向する領域、すなわち、保持本体部１ａの裏側の領域に搭載される。ここで、装着位置とは、ユーザ１００が耳装着型装置２を装着した後のある時点における、ユーザ１００の耳１１０に対する耳装着型装置２の相対位置をいう。なお、小型カメラ２ａは、クリップ部１ｂの裏側の領域に搭載してもよい。
【００６４】
画像特徴抽出部２ｂは、小型カメラ２ａによって撮影された、ある時点における耳１１０の皮膚の画像に基づいて、その画像の特徴を示す画像特徴データを抽出する。画像特徴データとしては、例えば、画像における特徴（「輝度」、「彩度」、「色相」、シミまたは小さな傷等の「輪郭」の画像内における位置または範囲等）を示す一般的な画像特徴量を用いればよい。
【００６５】
位置補正決定部２ｃは、画像特徴抽出部２ｂによって抽出された画像特徴データに基づいて、耳装着型装置２を基準位置に移動させるか否かを決定する。基準位置判定部２ｄは、画像特徴抽出部２ｂによって抽出された画像特徴データに基づいて、耳装着型装置２が基準位置に移動したか否かを判定する。ここで、基準位置とは、ユーザ１００が耳装着型装置２を装着するのに適した、ユーザ１００の耳１１０に対する耳装着型装置２の相対位置をいう。また、ユーザ１００の好みの装着位置（基準位置）に対応する耳１１０の皮膚を小型カメラ２ａで撮影し、得られた画像から画像特徴抽出部２ｂによって抽出した画像特徴データ（以降の説明において、“画像特徴データＡ”と記載する）は、あらかじめ耳装着型装置２のメモリ（図示せず）に記憶させておいてもよいし、耳装着型装置２の外部のメモリに記憶させてもよい。
【００６６】
なお、画像特徴抽出部２ｂ、位置補正決定部２ｃおよび基準位置判定部２ｄも小型カメラ２ａと同様、保持本体部１ａの裏側の領域に搭載される（クリップ部１ｂの裏側の領域に搭載してもよい）。あるいは、画像特徴抽出部２ｂ、位置補正決定部２ｃおよび基準位置判定部２ｄは、保持本体部１ａまたはクリップ部１ｂの表側の領域に搭載してもよい。但し、光発電パネルを配置する領域の確保、耳装着型装置２の外観等を考慮すれば、保持本体部１ａの裏側の領域に画像特徴抽出部２ｂ、位置補正決定部２ｃおよび基準位置判定部２ｄを搭載するのがより好適である。
【００６７】
振動部２００は、位置補正決定部２ｃによって耳装着型装置２を基準位置に移動させると決定された場合に、耳装着型装置２が基準位置に移動するように振動（駆動）するものであり、バイオメタル２０１、振動棒２０２およびバネ２０３を備える。また、振動部２００は、基準位置判定部２ｄによって耳装着型装置２が基準位置に移動した旨の判定がされた場合に、その振動を終了する。振動部２００は、保持本体部１ａの外周部における、ユーザ１００の耳介部周辺に対応する領域に搭載されているが、例えば、保持本体部１ａの裏側の領域に搭載されてもよい。換言すれば、振動部２００は、保持部（保持本体部１ａおよびクリップ部１ｂ）のいずれかの領域に備えられていればよい。
【００６８】
バイオメタル２０１は、Ｔｉ−Ｎｉ系の形状記憶合金を原料として作製された、ファイバ型のアクチュエータである。電流を流すことによって自己発熱し、強い力で収縮するとともに、電流を止めることによって元の長さまで伸びる。したがって、バイオメタル２０１に例えばパルス電流を流すことによって、バイオメタル２０１は収縮および伸長を繰り返す。
【００６９】
バイオメタル２０１は、保持本体部１ａにおける外周面の法線方向に対して傾斜するように、保持本体部１ａの外周面および振動棒２０２における前記外周面と対向する部分に取り付けられる。換言すれば、バイオメタル２０１は、保持本体部１ａの厚さ方向と略平行な方向から見た場合、略山型状に連なった状態で保持本体部１ａおよび振動棒２０２に取り付けられる（図１３参照）。バイオメタル２０１をこのように取り付けることで、例えば、上記外周面の法線方向と略平行に取り付ける場合に比して、使用するバイオメタル２０１の長さが長くなる。そして、長さが長くなった分、バイオメタル２０１の収縮量および伸長量も増大するので、振動時における振動棒２０２の振幅が大きくなり、強い振動を得ることができる。そのため、消費電力を抑制しつつ、確実に耳装着型装置２を移動させることができる。なお、上記のようなバイオメタル２０１の取り付けは一例にすぎず、例えば、バイオメタル２０１の上記法線方向に対する傾斜角度は任意に変更できる。また、バイオメタル２０１が上記法線方向と略平行になるように取り付けられてもよい。
【００７０】
振動棒２０２は、保持本体部１ａの厚さ方向と略平行な方向から見た場合に略円弧型であり、かつ、金属製または樹脂製の棒である。振動棒２０２が保持本体部１ａの略径方向に振動することによって耳装着型装置２も振動し、該耳装着型装置２が基準位置に移動する。振動棒２０２の形状を略円弧型とすることで、例えば、保持本体部１ａの外周部を全て覆う略Ｏ字型に比して少ない材料で作製でき、耳装着型装置２の軽量化および低コスト化を図ることができる。
【００７１】
また、振動棒２０２は、ユーザ１００の耳介部周辺の部位と接触するため、振動棒２０２の振動が直接ユーザ１００の耳１１０に伝わる。したがって、バイオメタル２０１に流す電流の大きさ、バイオメタル２０１の取り付け方を適宜変更することで、振動棒２０２に、耳１１０およびその周辺の血流が良くなる程度の刺激（生体刺激）を与える振動を発生させることができる。そして、この振動によって耳１１０の調子が良くなり、ユーザ１００にリラクゼーション効果がもたらされる。この場合、振動部２００は、耳装着型装置２を基準位置まで移動させる駆動部としての機能のみならず、リラクゼーション効果をもたらす生体刺激を発生させる生体刺激部としての機能をも有する。それゆえ、装着した状態でユーザ１００が心地良さを感じつつ、複数の種類の情報を精度高く取得できる耳装着型装置２を提供することができる。
【００７２】
バネ２０３は、保持本体部１ａに対して振動棒２０２を振動可能な状態で保持する。バネ２０３は、等間隔で４個、保持本体部１ａにおける外周面の法線方向と略平行に、保持本体部１ａの外周面および振動棒２０２における前記外周面と対向する部分に取り付けられる。なお、バネ２０３の個数は任意に変更できる。
【００７３】
なお、振動部２００の配置については上記場合に限定されず、例えば、ユーザ１００の耳垂周辺に対応する位置に搭載してもよい。また、振動棒２０２の形状も略円弧型に限定されず、例えば、保持本体部１ａの厚さ方向と略平行な方向から見た場合の形状が略Ｏ字型であり、保持本体部１ａの外周面全体を覆う形状であってもよい。換言すれば、各種センサ（情報取得部）、振動部２００（出力部）および保持本体部１ａ（保持部）により構成される形状が、少なくともユーザ１００の耳介部から対珠までの領域の一部をユーザ１００の耳輪に沿って覆う形状になっていればよい。
【００７４】
また、振動部２００以外の駆動部によって耳装着型装置２を基準位置に移動させてもよい。例えば、保持本体部１ａの裏側の領域に、複数の小型タイヤを搭載し、同じく前記裏側の領域に搭載された複数の小型モータによって該複数の小型タイヤを回転させることで、耳装着型装置２を基準位置に移動させてもよい。さらに、振動部２００の他、例えば、後述する温熱部（熱の強弱）、噴霧部（香水等による香りの発生）、磁気発生部（磁力の強弱）あるいは部位押圧部（押圧力の強弱）を刺激出力部として用いることにより、ユーザ１００に対してリラクゼーション効果および治療効果の少なくともいずれか一方をもたらす生体刺激を与えるようにしてもよい。さらに、刺激出力部としてＬＥＤを用いてもよい。具体的には、図１７の（ｂ）に示すように、複数のＬＥＤを保持本体部１ａの裏側の領域全面に亘って配置し、複数のＬＥＤから放射された赤外光を、ユーザ１００の外耳道を通じて脳の松果体に照射させることにより、ユーザ１００に不快な刺激を与えることなくユーザ１００の眠気を予防する効果が得られる。これにより、耳装着型装置１は、例えば、車両運転用の事故予防装置としても機能させることができる。換言すれば、耳装着型装置１は、出力部として、眠気予防効果、リラクゼーション効果および治療効果の少なくともいずれか１つの効果をもたらす生体刺激をユーザに対して与える刺激出力部を備えていればよい。
【００７５】
＜耳装着型装置２における位置補正方法＞
位置補正を行うために、耳装着型装置２をユーザ１００が基準位置に装着した状態で、画像特徴データＡを耳装着型装置２のメモリに記憶させる。具体的には、図１４の（ａ）に示すように、ユーザ１００の好みの装着位置に耳装着型装置２を装着し、その位置に対応する耳１１０の皮膚を小型カメラ２ａで撮影する。得られた画像データは、画像特徴抽出部２ｂに送信される（Ｓ２００；基準位置撮影工程）。そして、画像特徴抽出部２ｂは、受信した画像データから画像特徴データＡを抽出する（Ｓ２０１；基準位置特定工程）。抽出された画像特徴データＡはメモリに送信され、該メモリに記憶される（Ｓ２０２；基準位置記憶工程）。
【００７６】
次に、実際の位置補正方法について説明する。図１４の（ｂ）に示すように、まず、ある時点における耳装着型装置２の装着位置において、小型カメラ２ａにより撮影された耳１１０の皮膚に係る画像データを画像特徴抽出部２ｂに送信する（Ｓ２１０；第１装着位置撮影工程）。次に、画像特徴抽出部２ｂは、受信した画像データから画像特徴データＢを抽出し、該画像特徴データＢを位置補正決定部２ｃに送信する（Ｓ２１１；第１装着位置特定工程）。ここで、“画像特徴データＢ”とは、ある時点における耳装着型装置２の装着位置において、小型カメラ２ａにより撮影された画像データから抽出された画像特徴データのことをいう。
【００７７】
次に、上記画像特徴データＢを受信した位置補正決定部２ｃは、画像特徴データＡをメモリから呼び出し、両者を比較する。そして、画像特徴データＢにより示される画像特徴量と、画像特徴データＡにより示される画像特徴量との差が所定の閾値以上であった場合、位置補正決定部２ｃは、耳装着型装置２の基準位置への移動を決定する（Ｓ２１２（基準位置移動決定工程）でＹ）。そして、前記決定結果を受信した振動部２００は振動を開始し、耳装着型装置２は基準位置への移動を開始する（Ｓ２１３；基準位置移動工程）。一方、画像特徴データＡおよび画像特徴データＢのそれぞれにより示される画像特徴量の差が閾値より大きかった場合（Ｓ２１２でＮ）、位置補正決定部２ｃは、改めて画像特徴データを抽出し、その画像特徴データに基づいて、耳装着型装置２を基準位置へ移動させるか否かを再び判断する。
【００７８】
Ｓ２１３の後、小型カメラ２ａは、再び耳１１０の皮膚を撮影し、取得した画像データを画像特徴抽出部２ｂに送信する（Ｓ２１４；第２装着位置撮影工程）。画像特徴抽出部２ｂは、受信した画像データから画像特徴データ（以降、“画像特徴データＢ´”と記載する）を抽出し、該画像特徴データＢ´を基準位置判定部２ｄに送信する（Ｓ２１５；第２装着位置特定工程）。そして、画像特徴データＢ´を受信した基準位置判定部２ｄは、画像特徴データＡをメモリから呼び出し、両者を比較する。そして、画像特徴データＢ´により示される画像特徴量と、画像特徴データＡにより示される画像特徴量との差が閾値より少ない場合、基準位置判定部２ｄは、耳装着型装置２が基準位置に移動したと判定する（Ｓ２１６（基準位置判定工程）でＹ）。そして、上記判定結果を受信した振動部２００は振動を終了する（Ｓ２１７；振動終了工程）。一方、Ｓ２１６における判断ステップで、画像特徴データＡおよび画像特徴データＢ´のそれぞれにより示される画像特徴量の差が閾値よりも大きな場合（Ｓ２１６でＮ）、基準位置判定部２ｄは、改めて画像特徴データを抽出し、その時点の画像特徴データに基づいて、耳装着型装置２の基準位置への移動を終了させるか否かを再び判定する。
【００７９】
＜効果＞
以上のように、本実施形態によれば、振動部２００は、位置特定部（小型カメラ２ａおよび画像特徴抽出部２ｂ）によって特定された装着位置に基づいて、位置補正決定部２ｃが耳装着型装置２を基準位置に移動させると決定した場合、耳装着型装置２が基準位置に移動するように振動する。そのため、耳装着型装置２は、その装着位置が基準位置に来るように適宜位置修正されることから、ユーザ１００は、快適な状態を保ちながら耳装着型装置２を装着することができる。
【００８０】
〔実施形態３〕
＜耳装着型装置１および２への出力部の搭載＞
耳装着型装置１および２には、例えば、これらの保持本体部１ａに各種物理量を出力する出力部（図示せず）をさらに搭載してもよい。出力部を備えることによって、耳装着型装置１および２は、バリエーション豊富でなおかつユーザ１００の身体状態に的確に整合した機能をユーザ１００に提供することができる。それゆえ、リラクゼーション効果および治療効果の少なくともいずれか一方（眠気予防効果、リラクゼーション効果および治療効果の少なくともいずれか１つの効果）をユーザ１００に与えつつ、複数の種類の情報を精度高く取得できる耳装着型装置１および２を実現することができる。出力部としては、例えば、スピーカ（物理量；「音」）、ＬＥＤ（物理量；「光」）、温熱部（物理量；「熱」）、噴霧部（物理量；「匂い」）、磁気発生部（物理量；「磁力」）および部位押圧部（物理量；「力」）等が想定される。
【００８１】
なお、各種センサ（情報取得部）、出力部および保持本体部１ａ（保持部）により構成される形状が、少なくともユーザ１００の耳介部から対珠までの領域の一部をユーザ１００の耳輪に沿って覆う形状になるように、上記の各出力部のいずれかを保持本体部１ａ上に搭載する。
【００８２】
スピーカは、身体状態情報の内容を音声に変換してユーザに伝達するものであり、骨伝導スピーカで構成されてもよい。また、スピーカは、耳装着型装置１および２に備えられた受信部（図示せず）が外部装置（ラジオ、スマートフォン、パーソナルコンピュータ等）から受信した情報を音声に変換してユーザ１００に伝達してもよい。
【００８３】
さらに例えば、耳装着型装置１および２の保持本体部１ａに、情報取得部としてマイク（各種情報；「音声」）を保持させてスピーカおよびマイクを併用することにより、耳装着型装置１および２を、同時通訳用の端末としても機能させることができる。具体的には、ユーザが発話したときの音声をマイクが集音してその音声情報を特定のサーバに送信し、当該サーバは音声情報に基づいて、ユーザの発話内容を所望の言語に翻訳する。そして、サーバから送信された翻訳後の音声情報を上記の受信部が受信し、スピーカが翻訳後の音声情報を音声に変換してユーザ１００に伝達してもよい。
【００８４】
なお、情報取得部としてのマイクを、例えば、充電装置１０のケース部１０ａの内部に配置して、スピーカを備えた耳装着型装置１または２と充電装置１０とを併用することにより、両者を音声認識用デバイスとして構成してもよい。具体的には、耳装着型装置１または２を装着したユーザ（“第１ユーザ”とする）は、当該装置に備えられたマイクに対して発話する。そして、当該マイクで集音された音声に係る音声情報をサーバに送信し、当該サーバから当該音声情報を充電装置１０のスピーカに送信し出力する。このようにしてスピーカに出力された音声を第１ユーザとは別のユーザ（“第２ユーザ”とする）が聞き取ることによって、第１ユーザの発話内容が第２ユーザに伝わる。また、第２ユーザの発話内容を充電装置１０に設けられたマイクにより集音し、集音された音声情報をサーバ経由で送信して、耳装着型装置１または２のスピーカに出力すれば、第２ユーザの発話内容が第１ユーザに伝わる。このようにして、耳装着型装置１または２と、充電装置１０との両者を音声認識用デバイスとして構成し、第１ユーザと第２ユーザとの通話を実現できる。もちろん、耳装着型装置１または２と、充電装置１０との間の音声情報の送受信において、サーバを経由することは必須ではなく、耳装着型装置１または２と、充電装置１０との間で音声を直接送受信してもよい。
【００８５】
また、耳装着型装置１または２、充電装置１０の作動制御、あるいはこれらの装置が備えている各種機能の設定を、ユーザ１００の音声入力により行ってもよい。具体的には、ユーザ１００は、充電装置１０に備えられたマイクに対して所望する充電装置１０の作動・機能の内容を発話する。充電装置１０は、当該マイクで集音された音声に係る音声情報を光源制御部・機能設定部（機能設定部について図示せず）に送信する（サーバを経由してもよい）。そして、光源制御部は、受信した音声情報に基づいて、第１ＬＥＤ光源１０ｃおよび第２ＬＥＤ光源１０ｄの点灯をユーザ１００が所望する点灯態様になるよう制御する。また、機能設定部は、受信した音声情報に基づいて、充電装置１０が備えている各種機能のうち、ユーザ１００が所望する機能が作動するように設定する。
【００８６】
また、耳装着型装置１または２を装着したユーザ１００が、当該装置に備えられたマイクに対して所望する作動・機能の内容を発話し、当該マイクで集音された音声に係る音声情報に基づいて、耳装着型装置１または２の駆動部・刺激出力部の作動をユーザ１００が所望する態様に制御し、あるいはユーザ１００が所望する機能を果たす駆動部等が作動するように設定してもよい。
【００８７】
さらに、例えば、耳装着型装置１または２を装着したユーザ１００が、当該装置に備えられたマイクに対して発話することで、所望する充電装置１０の作動・機能を設定できるように構成してもよい。具体的には、耳装着型装置１または２は、当該マイクで集音された音声に係る音声情報を充電装置１０に送信する（サーバを経由してもよい）。充電装置１０は、受信した音声情報に基づいて、例えば光源制御部によって第１ＬＥＤ光源１０ｃおよび第２ＬＥＤ光源１０ｄの点灯をユーザ１００が所望する点灯態様になるよう制御し、あるいは機能設定部によって充電装置１０が備えている各種機能のうち、ユーザ１００が所望する機能が作動するように設定する。一方、ユーザ１００が充電装置１０に向けて発話し、充電装置１０のマイクが集音した音声に係る音声情報をユーザ１００が装着している耳装着型装置１または２に送信することで、当該装置の作動制御・機能設定を行ってもよい。
【００８８】
また、耳装着型装置１または２、充電装置１０の少なくともいずれかと送受信可能な情報処理端末（音楽プレーヤー、スマートフォン等）の作動制御・機能設定を、ユーザの音声入力により行ってもよい。具体的には、例えば、ユーザ１００が、耳装着型装置１に向けて自信が所望する当該装置の作動・機能の内容を発話する。そして、当該マイクで集音された音声に係る音声情報を、耳装着型装置１から情報処理端末に送信する（サーバを経由してもよい）。さらに、当該耳装着型装置１から当該音声情報を受信した情報処理端末を、当該音声情報に基づいてユーザ１００が所望する作動態様になるよう制御し、あるいは情報処理端末が備えている各種機能のうち、ユーザ１００が所望する機能が作動するように設定する。なお、耳装着型装置２と情報送受信が可能な情報処理端末、充電装置１０と情報送受信が可能な情報処理端末について、それぞれ上述の作動制御・機能設定を行ってもよい。
【００８９】
ＬＥＤは、可視光または赤外光を放射し、様々な光を放射するＬＥＤを複数搭載することで、色彩鮮やかなイルミネーションとしての機能および光治療機能を持たせることができる。温熱部は、ユーザ１００の耳１１０を温めるものであり、電熱線またはペルティエ素子により構成される。温熱部は、ユーザ１００の身体状態に応じてその発熱を制御できるようにしてもよい。噴霧部は、耳装着型装置１および２に備えられた液体格納部（図示せず）に格納された液体（例えば、香水等）を耳１１０周辺に噴霧する。噴霧部は、ユーザ１００の身体状態に応じて液体の噴霧量および成分構成を制御できるようにしてもよい。
【００９０】
磁気発生部は、電流が流れることによってユーザ１００の耳１１０周辺に磁場を発生させる。ユーザ１００の身体状態に応じて磁場の大きさが変化するよう、磁気発生部に流れる電流値を制御できるようにしてもよい。部位押圧部は、ヒトの耳およびその周辺の部位における、「ツボ」に相当する部位と対向するように配置され、当該部位を押圧する。ユーザ１００の身体状態に応じて押圧力の大きさを制御できるようにしてもよい。この部位押圧部による「ツボ」に相当する部位の押圧によって、治療効果のみならずリラクゼーション効果、さらにはダイエット効果などのいわゆる「耳ツボ効果」を得ることができる。なお、「耳ツボ効果」は、部位押圧部以外の他の出力部によっても得ることができる。例えば、振動部２００による振動、ＬＥＤによる光の照射または温熱部による熱の伝導などを利用することによっても「耳ツボ効果」は得られる。
【００９１】
＜充電装置１０への処理部の配置＞
充電装置１０には、例えば、ケース部１０ａの内部に、記憶部に記憶された身体状態情報に基づいて、ユーザ１００の所望する身体状態に関するデータを算出する処理部を収容配置してもよい。処理部としては、例えば、ＣＰＵ（Central Processing Unit、図示せず）を用いることができる。充電装置１０に備えられたバッテリーは、耳装着型装置１および２に備えられた小型バッテリー１ｄに比して大型であるため、処理部をさらに収容配置することにより、充電装置１０において複雑かつ大量のデータ処理が可能となる。
【００９２】
なお、上記身体状態に関するデータとしては、例えば、特定の身体状態情報における数か月間の平均値、特定の身体状態情報の数か月分のデータをグラフ化したもの、複数の身体状態情報から導かれた発症可能性のある病気の一覧表等が想定される。
【００９３】
＜女性のための健康支援システムへの適用＞
耳装着型装置１および２、並びに充電装置１０は、例えばスマートフォン５０またはパーソナルコンピュータとともに使用することで、女性のための健康支援システムを構築することができる。
【００９４】
具体的には、咀嚼センサで検知されたユーザ（女性）１００の咀嚼に基づいて、ユーザ１００の食事時間を測定する。また、皮膚センサでユーザ１００の皮膚状態を定点検知し、皮膚状態の時間変化を測定および分析する。そして、食事時間および皮膚状態の測定データは、耳装着型装置１および２のメモリに記憶させる。前記メモリに記憶させた測定データは、充電装置１０に送信してもよいし、スマートフォン５０等に直接送信してもよい。また、上記測定データの収集および管理、データ統計処理は、充電装置１０で行ってもよいし、スマートフォン５０等で行ってもよい。
【００９５】
このような健康支援システムを構築することで、ユーザが機器操作に疎い女性であっても、容易に食事時間および皮膚状態の測定データを収集、管理等できるとともに、適切にダイエットを行っているかが容易に把握できる。また、ジルコニアまたはクリスタルを散りばめる等して、耳装着型装置の外観をジュエリー感覚でお洒落にしたり、充電装置を宝石箱型にしたりすることで、女性ユーザにとってより一層親しみやすい健康支援システムを提供できる。
【００９６】
〔実施形態４〕
本発明の他の実施形態について、図１５に基づいて説明すれば、以下のとおりである。図１５の（ａ）は、本発明の一実施形態に係る耳装着型装置３の保持本体部およびクリップ部を示す概略図である。図１５の（ｂ）は、上記保持本体部等によって保持されるセンサ等の機能を実現する、機能ブロックの一例を示す模式図である。図１５の（ｃ）は、上記センサ等を保持した状態の耳装着型装置３の一例を示す概略図である。
【００９７】
＜耳装着型装置３の概要＞
本実施形態に係る耳装着型装置３は、各種センサ３ｅ（情報取得部）、小型バッテリー１ｄ、各種アクチュエータ３ｆ（出力部）および各種装飾部品３ｇが、図１５の（ａ）に示す保持本体部１ａ上およびクリップ部１ｂ上に着脱自在に搭載されている点で、実施形態１〜３に係る耳装着型装置１および２と異なる。
【００９８】
なお、１５の（ａ）に示された略Ｏ字型の保持本体部１ａおよびクリップ部１ｂの形状はあくまで一例であり、例えば、保持本体部１ａがユーザ１００の耳１１０の全体を覆うような略円盤型の形状となってもよい（図示せず）。換言すれば、各種センサ３ｅ（情報取得部）、各種アクチュエータ３ｆ（出力部）および保持本体部１ａ（保持部）により構成される形状が、少なくともユーザ１００の耳介部から対珠までの領域の一部をユーザ１００の耳輪に沿って覆う形状であればよい。
【００９９】
各種センサ３ｅとしては、例えば、実施形態１にて説明した脈波センサ等を用いることができる。また、各種アクチュエータ３ｆとしては、例えば、マッサージ効果のある振動が発生する振動部、実施形態３にて説明したスピーカ等を用いることができる。さらに、各種装飾部品３ｇとしては、例えば人工ダイヤ等を用いることができる。
【０１００】
ここで、図１５の（ｂ）が、各種センサ３ｅ、小型バッテリー１ｄ、各種アクチュエータ３ｆおよび各種装飾部品３ｇの機能を実現する機能ブロックを模式的に示している点については、図１３等と同様である。また、本実施形態で示した各種センサ３ｅ等以外でも、例えば、通信機能、記憶機能、演算機能および制御機能等を有する各種部品を、保持本体部１ａ上およびクリップ部１ｂ上に着脱自在に搭載してもよい。
【０１０１】
耳装着型装置３は、例えば図１５の（ｃ）に示すような位置に各種センサ３ｅ等を配置し、保持本体部１ａ等によって保持することにより、ユーザ１００の所望する機能および外観を有する装置となる。なお、図１５の（ｃ）に示された各種センサ３ｅ等の種類、配置および個数はあくまで一例であり、ユーザ１００の好み、耳装着型装置３の用途等に応じて、保持本体部１ａおよびクリップ部１ｂの任意の位置に、任意の種類および個数の各種センサ３ｅ等を搭載することができる。
【０１０２】
＜効果＞
以上のように、本実施形態に係る耳装着型装置３は、ユーザ１００の好み、各耳装着型装置の用途等に応じて様々な種類のセンサおよびアクチュエータを選択し、搭載等することができる。すなわち、ユーザ１００が自由自在にカスタマイズできる耳装着型装置を実現することができる。
【０１０３】
〔実施形態５〕
本発明の他の実施形態について、図１６に基づいて説明すれば、以下のとおりである。
【０１０４】
図１６の（ａ）は、本発明の一実施形態に係る耳装着型装置４の保持本体部およびクリップ部を示す概略図である。図１６の（ｂ）は、耳装着型装置４に備えられるセンサ等の機能を実現する、機能ブロックの一例を示す模式図である。図１６の（ｃ）は、上記センサ等を電気的に接続した状態の耳装着型装置４の一例を示す概略図である。図１６の（ｄ）は、耳装着型装置４の保持本体部によって覆われる、ユーザの耳の部位を示す模式図である。
【０１０５】
＜耳装着型装置４の概要＞
本実施形態に係る耳装着型装置４は、保持本体部１ａに代えて保持本体部４ａを備えている点で、実施形態１〜４に係る耳装着型装置１〜３と異なる。また、本実施形態に係る耳装着型装置４は、各種センサ３ｅ、小型バッテリー１ｄおよび各種アクチュエータ３ｆが互いに連接されている点でも、実施形態１〜４に係る耳装着型装置１〜３と異なる。さらに、本実施形態に係る耳装着型装置４は、各種センサ３ｅ、小型バッテリー１ｄおよび各種アクチュエータ３ｆが、保持本体部４ａ上およびクリップ部１ｂ上に着脱自在に搭載されている点で、実施形態１〜３に係る耳装着型装置１および２と異なる。
【０１０６】
保持本体部４ａは、図１６の（ａ）および（ｄ）に示すように、ユーザ１００の耳輪脚の一部を覆う形状および大きさとなっている。なお、図１６の（ａ）に示された保持本体部４ａの形状および大きさはあくまで一例であり、例えば、ユーザ１００の耳輪脚の一部に加えて耳珠の一部をも覆うような形状となってもよい（図示せず）。
【０１０７】
ここで、図１６の（ｂ）が、各種センサ３ｅ、小型バッテリー１ｄ、各種アクチュエータ３ｆおよび各種装飾部品３ｇの機能を実現する機能ブロックを模式的に示している点については、図１５の（ｂ）と同様である。
【０１０８】
図１６の（ｃ）に示すように、まず、各種センサ３ｅ、小型バッテリー１ｄまたは各種アクチュエータ３ｆのいずれか１つを保持本体部４ａによって保持する。そして、保持本体部４ａによって保持された部品を起点として、ユーザ１００が選択した他の各種センサ３ｅ等を順次連接する。さらには、各種センサ３ｅ等に対して着脱自在に取り付け可能な各種装飾部品３ｇをユーザ１００の好みの位置に取り付けることで、耳装着型装置４を実現することができる。図１６の（ｃ）では、互いに連接された複数の各種センサ３ｅ等からなる構造体４ｈが略Ｏ字型の形状をしている。
【０１０９】
なお、図１６の（ｃ）に示された各種センサ３ｅ等の種類、配置および個数はあくまで一例であり、任意の種類および個数の各種センサ３ｅ等を、ユーザ１００の好み、耳装着型装置４の用途等に応じて適宜連接することができる。また、本実施形態では、保持本体部４ａは１つの部品しか保持しないものの、保持本体部４ａが複数の部品を保持できるような構造になっていてもよい。
【０１１０】
さらに、構造体４ｈの形状および大きさもユーザ１００の好み、耳装着型装置４の用途等に応じて適宜変更することができる。すなわち、各種センサ３ｅ、各種アクチュエータ３ｆおよび保持本体部４ａが連接されてなる構造体４ｈの形状が、少なくともユーザ１００の耳介部から対珠までの領域の一部をユーザ１００の耳輪に沿って覆う形状であればよい。
【０１１１】
＜効果＞
本実施形態に係る耳装着型装置４の効果は、実施形態４に係る耳装着型装置３と同様である。
【０１１２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。なお、本発明に係る耳装着型装置は、ユーザの耳に装着される耳装着型装置であって、各種情報を取得する情報取得部および各種物理量を出力する出力部の少なくとも１つを保持する保持部を備え、上記保持部は、少なくとも上記ユーザの耳介部から対珠までの領域を上記ユーザの耳輪に沿って覆う形状である耳装着型装置としても表現できる。
【産業上の利用可能性】
【０１１３】
本発明によれば、耳装着型装置から得られるユーザの身体状態情報を最大限活用することで、例えば、ヘルスケアサービス、エンターテインメントサービスおよび情報提供サービス等に本発明を利用することができる。
【符号の説明】
【０１１４】
１、２、３、４  耳装着型装置
１ａ、４ａ      保持本体部（保持部）
１ｂ            クリップ部（保持部）
１ｃ            皮膚ガスセンサ（情報取得部）
２ａ            小型カメラ（位置特定部）
２ｂ            画像特徴抽出部（位置特定部）
２ｃ            位置補正決定部
３ｅ            各種センサ（情報取得部）
３ｆ            各種アクチュエータ（出力部）
１０    充電装置（外部装置）
１０ｃ  第１ＬＥＤ光源（光源部）
１０ｄ  第２ＬＥＤ光源（光源部）
１０ｅ  受信部
１０ｆ  送信部
５０    スマートフォン（外部通信機器）
１００  ユーザ
１１０  耳
２００  振動部（駆動部）
【図１】
2017038911.tif 000003
【図２】
2017038911.tif 000004
【図３】
2017038911.tif 000005
【図４】
2017038911.tif 000006
【図５】
2017038911.tif 000007
【図６】
2017038911.tif 000008
【図７】
2017038911.tif 000009
【図８】
2017038911.tif 000010
【図９】
2017038911.tif 000011
【図１０】
2017038911.tif 000012
【図１１】
2017038911.tif 000013
【図１２】
2017038911.tif 000014
【図１３】
2017038911.tif 000015
【図１４】
2017038911.tif 000016
【図１５】
2017038911.tif 000017
【図１６】
2017038911.tif 000018
【図１７】
2017038911.tif 000019
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
ユーザの耳に装着される耳装着型装置であって、
各種情報を取得する情報取得部および各種物理量を出力する出力部のそれぞれについて、少なくとも１つを保持する保持部を備え、
上記情報取得部、上記出力部および上記保持部により構成される形状が、少なくとも上記ユーザの耳介部から対珠までの領域の一部を上記ユーザの耳輪に沿って覆う、略Ｏ字型または略円弧型の形状であり、
上記保持部は、上記ユーザの外耳道に対応して開口する開口領域が形成されており、
上記情報取得部および出力部が、上記保持部上に搭載されていることを特徴とする耳装着型装置。
【請求項２】
上記情報取得部と、上記出力部と、上記保持部とが、互いに連接されており、
上記情報取得部、上記出力部、上記保持部が連接されてなる形状が、少なくとも上記ユーザの耳介部から対珠までの領域の一部を上記ユーザの耳輪に沿って覆う形状であることを特徴とする請求項１に記載の耳装着型装置。
【請求項３】
上記保持部は、外部装置との間で無線通信を行うための無線通信部を備えていることを特徴とする請求項１または２に記載の耳装着型装置。
【請求項４】
上記保持部には、発電素子が備えられていることを特徴とする請求項１から３のいずれか１項に記載の耳装着型装置。
【請求項５】
上記出力部として、眠気予防効果、リラクゼーション効果および治療効果の少なくともいずれか１つの効果をもたらす生体刺激をユーザに対して与える刺激出力部を備えていることを特徴とする請求項１から４のいずれか１項に記載の耳装着型装置。
【請求項６】
自装置の上記ユーザの耳に対する装着位置を特定する位置特定部と、
上記位置特定部によって特定された上記装着位置に基づいて、自装置を上記ユーザが自装置を装着するのに適した基準位置に移動させるか否かを決定する位置補正決定部と、
上記出力部として、上記位置補正決定部によって自装置を上記基準位置に移動させると決定された場合に、自装置が上記基準位置に移動するように駆動する駆動部と、をさらに備えることを特徴とする請求項１から５のいずれか１項に記載の耳装着型装置。